(57)【要約】      （修正有）【課題】曲面でも平面でも位置ずれすることなく安定して設置可能なＰＯＰ表示用兼小物陳列用補助具、ＰＯＰ表示設置具及び小物陳列具を提供する。【解決手段】磁石取付カバーが装着された磁石に、弾性部材及びずれ防止カバーがこの順序で被せられ、雄ネジによりＰＯＰ表示具８がジョイント部７を介して接続される。【選択図】図５
0003162281.tif 000002
【実用新案登録請求の範囲】
【請求項１】
ＰＯＰ表示具あるいは小物陳列台を着脱自在に取り付けるための取付部材を有するＰＯＰ表示用兼小物陳列用補助具であって、
磁石と、
磁石の両側に設けられた弾性部と、を有し、
磁石で吸着させることにより、磁石と弾性部とにより３ヶ所支持されて設置されること
を特徴とするＰＯＰ表示用兼小物陳列用補助具。
【請求項２】
前記磁石は側面視逆台形状の六面体であり、前記取付部材は雄ネジであり、該雄ネジを挿入するためのネジ孔を有するとともに該雄ネジを該ネジ孔に挿入しネジ部を露出した状態で前記磁石をスライドさせて取り付ける磁石取付カバーを備えることを特徴とする請求項１に記載のＰＯＰ表示用兼小物陳列用補助具。
【請求項３】
前記弾性部は、前記磁石取付カバーを覆う側面視略逆Ｕ字状の弾性部材の先端部からなり、該弾性部材には前記磁石取付カバーを覆った際に前記ネジ孔に対応する位置に第１の挿入孔が設けられており、前記弾性部材に被せて前記磁石の側面方向へのずれを防止する部材であって前記弾性部材に被せた際に前記第１の挿入孔に対応する位置に第２の挿入孔を有するずれ防止カバーを備えており、前記磁石には前記磁石取付カバー，前記弾性部材及び前記ずれ防止カバーがこの順序で取り付けられるとともに前記ネジ孔，第１の挿入孔及び第２の挿入孔を合わせた状態で前記雄ネジが前記ネジ部を露出した状態で挿入されていることを特徴とする請求項２に記載のＰＯＰ表示用兼小物陳列用補助具。
【請求項４】
請求項１ないし３いずれか１項のＰＯＰ表示用兼小物陳列用補助具と、
前記取付部材に取り付けられるＰＯＰ表示具と、を有すること
を特徴とするＰＯＰ表示設置具。
【請求項５】
請求項１ないし３いずれか１項のＰＯＰ表示用兼小物陳列用補助具と、
前記取付部材に取り付けられる小物陳列台と、を有すること
を特徴とする小物陳列具。
【請求項６】
前記ＰＯＰ表示具と前記取付部材との間に取り付けられる細長状のジョイント部を有することを特徴とする請求項４に記載のＰＯＰ表示設置具。
【請求項７】
前記小物陳列台と前記取付部材との間に取り付けられる細長状のジョイント部を有することを特徴とする請求項５に記載の小物陳列具。
【考案の詳細な説明】
【技術分野】
【０００１】
本考案は、例えばデパートやスーパーマーケットあるいはコンビニエンスストア等の店舗の商品売場において、商品の案内パネルやプライスカード等のＰＯＰ表示を行う際に使用される補助具であって、同時にアクセサリーやミニチュア小物等各種小物商品を陳列する際にも使用されるＰＯＰ表示用兼小物陳列用補助具、ＰＯＰ表示設置具及び小物陳列具に関する。
【背景技術】
【０００２】
従来、例えば、衣服をハンガーに掛けて陳列するハンガーパイプに、商品の案内や値段等のＰＯＰ表示を行う場合には、特許文献１のような表示用クリップが用いられていた。すなわち、ＰＯＰ表示を行う表示板（この特許文献１の表示用クリップでは小型の広告旗）がクリップに取り付けられており、このクリップでハンガーパイプのパイプを挟むことにより表示板を設置していた。このようなクリップタイプの表示用クリップによりＰＯＰ表示を行った場合には、簡単に設置、取り外しができるとともに、設置した後はクリップの挟持力によりしっかりと位置決めされる。
【０００３】
また、このような表示板はハンガーパイプだけでなく、例えば、金属製の棚に設置される場合もある。この場合には、上記表示用クリップを使用してクリップで棚を挟持してＰＯＰ表示を行うことも可能である。しかしながら、棚の厚みが厚い場合には、棚をクリップで挟むことができないこともある。このような場合には、例えば、図８に示すようなＰＯＰ表示設置具が使用される。具体的には、このＰＯＰ表示設置具は、磁石製のベースに表示板が取り付けられた構造を採用しており、磁力により金属製の棚と吸着設置される。このようなＰＯＰ表示設置具を用いれば、平らな面に対し簡単に設置、取り外しができるとともに、設置した後は磁力によりしっかりと位置決めされる。しかしながら、この磁石製のＰＯＰ表示設置具をハンガーパイプ上に載置した場合には、ハンガーパイプとの設置面積が狭く不安定であり結果的には落下してしまうという問題がある。
【０００４】
このように、従来においては、ハンガーパイプに設置する場合にはクリップタイプ、棚に設置する場合には磁石タイプと２種類のタイプのＰＯＰ表示設置具を使用していた。
【先行技術文献】
【特許文献】
【０００５】
【特許文献１】実公平７−１６７３号公報
【考案の概要】
【考案が解決しようとする課題】
【０００６】
本考案はこのような問題を解決するためになされたものであり、その目的とするところは、設置面がハンガーパイプのように曲面状であっても棚等のように平面状であっても、いずれにおいても位置ずれすることなくＰＯＰ表示や小物陳列を可能とするＰＯＰ表示用兼小物陳列用補助具、ＰＯＰ表示設置具及び小物陳列具を提供することにある。
【課題を解決するための手段】
【０００７】
上記の目的を達成するため、本考案は、ＰＯＰ表示具あるいは小物陳列台を着脱自在に取り付けるための取付部材を有するＰＯＰ表示用兼小物陳列用補助具であって、磁石と、磁石の両側に設けられた弾性部と、を有し、磁石で吸着させることにより、磁石と弾性部とにより３ヶ所支持されて設置されることを特徴とする。
【０００８】
ここで言う「３ヶ所支持」とは、磁石の両側に設けられた弾性部においては設置する箇所に接触して支持することを意味するが、磁石については設置する箇所に接触して支持するだけでなく、磁力により非接触で支持することも含まれる。
【０００９】
前記磁石は側面視逆台形状の六面体であり、前記取付部材は雄ネジであり、該雄ネジを挿入するためのネジ孔を有するとともに該雄ネジを該ネジ孔に挿入しネジ部を露出した状態で前記磁石をスライドさせて取り付ける磁石取付カバーを備えるように構成してもよい。
【００１０】
前記弾性部は、前記磁石取付カバーを覆う側面視略逆Ｕ字状の弾性部材の先端部からなり、該弾性部材には前記磁石取付カバーを覆った際に前記ネジ孔に対応する位置に第１の挿入孔が設けられており、前記弾性部材に被せて前記磁石の側面方向へのずれを防止する部材であって前記弾性部材に被せた際に前記第１の挿入孔に対応する位置に第２の挿入孔を有するずれ防止カバーを備えており、前記磁石には前記磁石取付カバー，前記弾性部材及び前記ずれ防止カバーがこの順序で取り付けられるとともに前記ネジ孔，第１の挿入孔及び第２の挿入孔を合わせた状態で前記雄ネジが前記ネジ部を露出した状態で挿入されているように構成してもよい。
【００１１】
また、本考案に係るＰＯＰ表示設置具は、前記いずれかのＰＯＰ表示用兼小物陳列用補助具と、前記取付部材に取り付けられるＰＯＰ表示具と、を有することを特徴とする。
【００１２】
また、本考案に係る小物陳列具は、前記いずれかのＰＯＰ表示用兼小物陳列用補助具と、前記取付部材に取り付けられる小物陳列台と、を有することを特徴とする。
【００１３】
前記ＰＯＰ表示具と前記取付部材との間に取り付けられる細長状のジョイント部を有するように構成してもよい。
【００１４】
前記小物陳列台と前記取付部材との間に取り付けられる細長状のジョイント部を有するように構成してもよい。
【考案の効果】
【００１５】
本考案は、前記したように、磁石と、磁石の両側に設けられた弾性部と、を有し、磁石で吸着させることにより、磁石と弾性部とにより３ヶ所支持されて設置されるように構成した。これにより、設置面が曲面であっても平面であっても位置ずれすることなく良好にＰＯＰ表示あるいは小物陳列をすることができるという効果が得られる。
【図面の簡単な説明】
【００１６】
【図１】本考案のＰＯＰ表示設置具の雄ネジ取付工程を説明するための斜視図。
【図２】本考案のＰＯＰ表示設置具の磁石取付カバーの取付工程を説明するための斜視図。
【図３】本考案のＰＯＰ表示設置具の弾性部材及びずれ防止カバーの取付工程を説明するための斜視図。
【図４】本考案のＰＯＰ表示設置具のＰＯＰ表示具の取付工程を説明するための斜視図。
【図５】本考案のＰＯＰ表示設置具の斜視図。
【図６】本考案のＰＯＰ表示設置具をハンガーパイプに設置した状態を示す斜視図。
【図７】（ａ）は本考案のＰＯＰ表示設置具をハンガーパイプに設置した状態を示す側面図、（ｂ）は本考案の小物陳列具を棚に設置した状態を示す側面図。
【図８】従来のＰＯＰ表示設置具の構成を説明するための正面図。
【考案を実施するための形態】
【００１７】
以下、本考案の実施形態について、願書に添付した図面を参照しながら説明する。
【００１８】
図１は本考案のＰＯＰ表示設置具の雄ネジ取付工程を説明するための斜視図、図２は本考案のＰＯＰ表示設置具の磁石取付カバーの取付工程を説明するための斜視図、図３は本考案のＰＯＰ表示設置具の弾性部材及びずれ防止カバーの取付工程を説明するための斜視図、図４は本考案のＰＯＰ表示設置具のＰＯＰ表示具の取付工程を説明するための斜視図、図５は本考案のＰＯＰ表示設置具の斜視図、図６は本考案のＰＯＰ表示設置具をハンガーパイプに設置した状態を示す斜視図である。
【００１９】
本考案のＰＯＰ表示設置具１００は、図１ないし図６に示すように、磁石２、磁石取付カバー３、弾性部材５及びずれ防止カバー６からなるＰＯＰ表示用兼小物陳列用補助具１と、ＰＯＰ表示具８と、が細長状の円柱形のジョイント部７を介して接続されて構成されており、図６に示すようにブティック等で衣服をつり下げるハンガーパイプＡ上に磁力により吸着して設置される。このＰＯＰ表示設置具１００は、図１の雄ネジ取付工程、図２の磁石取付カバーの取付工程、図３の弾性部材及びずれ防止カバー取付工程及び図４のＰＯＰ表示具取付工程を経て組み立てられる。以下に順を追って説明する。
【００２０】
＜雄ネジ取付工程＞
図１に示すように、磁石取付カバー３は側面視逆台形に形成されており、その天板３２中央には雄ネジ４を挿入するためのネジ孔３１が穿設されている。この磁石取付カバー３のネジ孔３１には、図１に示すように、雄ネジ４がその頭部４２を下側にしネジ部４１を上側にした状態で挿入される。なお、説明の便宜上、この雄ネジ４が挿入された状態の磁石取付カバー３をここでは「第１部材１Ａ」と称する。
【００２１】
＜磁石取付カバーの取付工程＞
次いで、図２に示すように、第１部材１Ａは磁石２に取り付けられる。具体的には、側面視逆台形状の磁石２に対し、第１部材１Ａを一側面側からスライドさせて第１部材１Ａは磁石２に取り付けられる。本実施形態においては、磁石２はネオジウム磁石であり、磁石取付カバー３の形状は磁石２の形状に対応づけられて形成されている。このように形成することにより、磁石２が下方に脱落するのを防止することができるとともに磁石２と雄ネジ４とを接着する必要がなくなる。なお、説明の便宜上、磁石２に第１部材１Ａが取り付けられた状態の部材をここでは「第２部材１Ｂ」と称する。
【００２２】
＜弾性部材及びずれ防止カバー取付工程＞
次に、図３に示すように、第２部材１Ｂに弾性部材５及びずれ防止カバー６が取り付けられる。具体的には、シリコンゴムからなる側面視略逆Ｕ字形状の弾性部材５を第２部材１Ｂに被せる。弾性部材５の頂部５４中央には第１の挿入孔５３が穿設されており、第２部材１Ｂに弾性部材５を被せた際に、この第１の挿入孔５３に雄ネジ４が挿入される。
次いで、更に、上からずれ防止カバー６を図３に図示したように被せると、その際に、ずれ防止カバー６の天板６２の中央に穿設された第２の挿入孔６１に雄ネジ４が挿入される。このずれ防止カバー６を図３のように取り付けると、天板６２に連設された側板６３により磁石２の側面側方向へのずれ防止が図れる。
【００２３】
＜ＰＯＰ表示具取付工程＞
次に、図４に示すように、ジョイント部７を介してＰＯＰ表示具８が取り付けられ、図５に示す本考案に係るＰＯＰ表示設置具１００が完成する。具体的に説明すると以下のとおりとなる。すなわち、図３に示す弾性部材及びずれ防止カバー取付工程が終了すると、図４に示す本考案に係るＰＯＰ表示用兼小物陳列用補助具１が製造される。これに、値段表示や商品広告等を表示するＰＯＰ表示部８１及び雄ネジ部８２を有するＰＯＰ表示具８が、細長い円柱形のクロームメッキ処理されたジョイント部７を介して接続される。この接続の仕方は、ジョイント部７には（図示しない）雌ネジ部が図４中、上方及び下方に設けられており下方側の雌ネジ部には雄ネジ４のネジ部４１がネジ留めされ、上方側の雌ネジ部にはＰＯＰ表示具８の雄ネジ部８２がネジ留めされる。
このように構成したことにより、本考案のＰＯＰ表示用兼小物陳列用補助具１は、ＰＯＰ表示だけでなく後述するように小物陳列用にも使用することが可能となる。
【００２４】
上記工程を経て完成した本考案に係るＰＯＰ表示設置具１００を店舗等のＰＯＰ表示として使用した状態を示すと図６のようになり、更に、詳細に図示したものが図７（ａ）である。具体的には、図６には本考案に係るＰＯＰ表示設置具１００をハンガーパイプＡ上に設置した状態を示しており、この設置状態を側面から図示したものが図７（ａ）である。
【００２５】
図６及び図７（ａ）に示すように、本考案に係るＰＯＰ表示設置具１００をハンガーパイプＡ上に設置した場合には、磁石２とハンガーパイプＡとの吸着部分である磁石２の吸着部２１と、弾性部材５の側面視逆略Ｕ字形状の先端部となる磁石２の両側（図７（ａ）においては左右）に位置する弾性部５１、５２とにより３ヶ所で支持されて設置される。
このように構成したことにより、弾性部５１、５２により図中左右方向のずれが防止され安定して設置されることとなる。
【００２６】
すなわち、本考案に係るＰＯＰ表示設置具１００においては、磁石２の吸着部２１よりその両側に配置された弾性部材５の弾性部５１、５２が下方に突出している。これにより、弾性部５１、５２が円弧面に沿うようにして設置されることとなる。なお、ハンガーパイプＡの外径が大きければ、この弾性部５１、５２の突出具合は小さくてよいが、外径が小さくなればなるほど、この突出具合は大きくする必要があるが、突出具合を外径が小さい方に合わせておけば、磁石２の磁力の力で弾性部５１、５２に弾性変形させれば種々の大きさの外径に設置可能となるので好適である。
【００２７】
同様に、このＰＯＰ表示設置具１００は、ハンガーパイプＡだけでなく、金属製の棚等の平面に対して設置可能である。この場合にも、前記突出した弾性部５１、５２が磁石２の磁力により弾性変形して磁石２、弾性部５１、５２の３ヶ所で支持されることとなる。
【００２８】
このような状態を図７（ｂ）に示すが、ここで図示しているのは、指輪等のアクセサリーやガラス細工の小さな置物等を陳列可能な小物陳列具２００である。この小物陳列具２００は、前記したＰＯＰ表示用兼小物陳列用補助具１に、ＰＯＰ表示具８の代わりに小物を陳列可能な小物陳列台９をジョイント部７を介して取り付けており、金属製の棚Ｂに該小物陳列具２００を設置した状態を図示している。なお、ここで言う小物とは、小物陳列台９に載置可能なサイズの大きさを意味するものであり、この小物陳列台９の大きさによっては、例えば、メガネ，ネクタイ，ハンカチ等も小物に該当し陳列することが可能である。また、ここで言う「陳列」も複数のものを並べることだけを意味せず、単品のみを展示する場合も含まれる。本実施形態においては、磁石２が金属製の棚Ｂに接触している形態を示したが、磁石２の磁力により棚Ｂと非接触で支持されるような構造であってもよい。
【００２９】
なお、全体を通して、本考案は、磁石２の磁力を利用してＰＯＰ表示あるいは小物陳列を可能とするものであることから、例えば、ＰＯＰ表示であれば逆さに設置したり横向きに設置したりすることも可能である。また、ここに示した実施形態は本考案の一例でありこれに限定されるものではない。
【符号の説明】
【００３０】
１    ＰＯＰ表示用兼小物陳列用補助具
２    磁石
３    磁石取付カバー
３１    ネジ孔
４    雄ネジ（取付部材）
４１    ネジ部
５    弾性部材
５１、５２  弾性部
５３    第１の挿入孔    
６    ずれ防止カバー
６１    第２の挿入孔
７    ジョイント部
８    ＰＯＰ表示具
９    小物陳列台
１００    ＰＯＰ表示設置具
２００    小物陳列具
【図１】
0003162281.tif 000003
【図２】
0003162281.tif 000004
【図３】
0003162281.tif 000005
【図４】
0003162281.tif 000006
【図５】
0003162281.tif 000007
【図６】
0003162281.tif 000008
【図７】
0003162281.tif 000009
【図８】
0003162281.tif 000010